(57)【要約】      （修正有）【課題】安定し、持続効果の高い、疼痛緩和効果のある皮膚貼付用シールを提供する。【解決手段】３２〜３８テラヘルツの共鳴電磁波を、２〜１２時間、２０℃〜９０℃の温度条件下で、円形状の粘着シール１１に照射することで、当該シール自体を当該共鳴電磁波の放射体とする。【選択図】図３
0003234437.tif 000002
【実用新案登録請求の範囲】
【請求項１】
３２〜３８テラヘルツの共鳴電磁波を、２〜１２時間、２０℃〜９０℃の温度条件下で、粘着シールに照射することで、当該シール自体を当該共鳴電磁波の放射体とすることを特徴とする皮膚貼付用シール。
【考案の詳細な説明】
【技術分野】
【０００１】  本考案は、３２〜３８テラヘルツの共鳴電磁波を、放射することを特徴とする皮膚貼付用シールに関するものである。
【背景技術】
【０００２】  近年、磁気や遠赤外線の電磁波を放射することを特徴とする鉱石や金属の粉末を練りこんだりした材料や、放射物質を固定する方法を用いて疼痛緩和を目的としたシートが流行している。
【特許文献１】特開２０１７−０８０１８２
【特許文献２】登録実用新案第３２２９４６２号
【特許文献３】登録実用新案第３２２２１５１号
【考案の概要】
【考案が解決しようとする課題】
【０００３】  近年、疼痛緩和を目的として、磁気や遠赤外線を放射する鉱石や金属粉末を練りこんだり、放射体を保持するシートが開発されている。【０００４】  しかし遠赤外線といっても周波数範囲が広く、放射している電磁波の周波数が明確でないものが多く、繊維に練りこんだり、放射体固定による耐久性にも問題があった。
【課題を解決するための手段】
【０００５】  このような課題を解決するために本考案者は、３２〜３８テラヘルツの共鳴電磁波を、２時間〜１２時間、２０℃〜９０℃の温度条件下で、皮膚貼付用シールに照射することで、当該シール自体が当該共鳴電磁波の転写体となり、自らが当該共鳴電磁波の発射体となることを見出し、本考案をなすに至った。【０００６】  すなわち、上記課題を解決するために本発明では、３２〜３８テラヘルツの共鳴電磁波を放射する物質と、皮膚貼付用シールを近接させ、２０℃〜９０℃の温度条件下で、２時間〜１２時間放置し、当該共鳴電磁波の放射体から発射される電磁波を、当該シールに転写し、共振作用により、当該シール自体を当該共鳴電磁波の放射体とする。【０００７】  シール自体を共鳴電磁波の放射体とすることで、磁力や遠赤外線電磁波を放射する鉱石や金属の粉末を含ませた繊維よりも耐久性が増し、放射体が剥離により効力を無くするという問題を解決できる。【０００８】  また、シールから放射される共鳴電磁波の周波数を、３２〜３８テラヘルツと限定することで、周波数によって効果が期待できないという問題点を解決できる。
【考案の効果】
【０００９】  本考案によれば、効果が明確で持続性の高い３２〜３８テラヘルツの共鳴電磁波を放射する皮膚貼付用シールを低コストで、大量に提供できる。【００１０】  また、本考案による皮膚貼付用シールは、貼付する人体部位に、約３０℃〜約９０℃の温度エネルギーに相当する３２〜３８テラヘルツの共鳴電磁波を放射し、装着する人体部位の細胞の水素結合を共振励起し、当該水素結合を分離する。そして当該水素結合から放出された電子が高速で移動し、他の原子や分子と衝突することにより、衝突エネルギーが発生し、人体の筋肉細胞やその他の疲労蓄積等で硬化した細胞の水素結合を共振励起し、柔軟にすることで、血管や神経の圧迫を軽減し、疼痛を緩和するとともに、基礎体温を高め、免疫力を改善する。【００１１】  また、当該電磁波は、当該皮膚貼付用シールを貼付する人体の血液の水素結合を共振励起し、浄化することによって、酸素や栄養を有効に体内の各細胞に運ぶことができ、健康を促進する。【００１２】  また、当該電磁波は、当該皮膚貼付用シールを装着する人体の余剰体脂肪の水素結合を分離し、低分子量化することで燃焼しやすくし、肥満を抑止する。
【考案を実施するための形態】
【００１３】  以下、本考案の実施形態について図面を参照しながら詳細に説明する。
図１は、本考案の皮膚貼付用シールを製作する平断面図を示す。
図２は、図１のＡ矢視で、本考案の皮膚貼付用シールを製作する平面図を示す。
図３は、本考案の皮膚貼付用シールの作用を示すイメージの断面図を示す。
【００１４】  図１に示すように、共鳴電磁波放射シート２の上に、シール３を密着させて置き当該シート２から放射される３２〜３８テラヘルツの共鳴電磁波４を、当該シール３に２時間〜１２時間照射する。
【００１５】  当該共鳴電磁波放射シート２の下には２０℃〜９０℃の温度調節が可能な面ヒーター１が設けられていて、３２〜３８テラヘルツの共鳴電磁波４を当該シール３に効率良く照射できる。
【００１６】  図３に示すように、皮膚貼付用シール１１を人体１０に貼付すると、当該シール１１から、３２〜３８テラヘルツの転写共鳴電磁波１６が放射される。
【００１７】  当該シール１１から放射された転写共鳴電磁波１６は、人体１０の血液や細胞組織に含まれる水分の水素結合を共振作用で分断し電子１４が放出される。
【００１８】  水素結合の分断により放出された電子１４は高速で動き、周辺の分子や原子に衝突し、衝突エネルギーを発生させ、当該機能性シール１１を貼付する人体１０の基礎体温を高め、血流を改善し、免疫力を向上させる。
【００１９】  また、当該共鳴電磁波１６は、当該シール１１を貼付する人体１０の筋肉細胞やその他の疲労蓄積等で硬化した細胞の水素結合を共振励起し、柔軟にすることで、血管や神経の圧迫を軽減し、疼痛を緩和する。
【００２０】  また、当該共鳴電磁波１６は、当該シール１１を装着する人体１０の余分な体脂肪の水素結合を分断し低分子量化することで燃焼しやすくし、痩身効果を発揮する。
【００２１】  さらに、当該共鳴電磁波１６は、当該機能性シールを装着する人体１０の神経電子１５の伝達を円滑にする。
【実施例】
【００２２】  数多くの人たちの試着テストを通して下記の効果が確認されている。
＊疼痛緩和      ：肩こり、腰痛、神経痛、打撲等の痛みを緩和する。
＊痩身効果      ：体内の余分な脂肪分を燃焼し、肥満を抑止する。
【産業上の利用可能な分野】
【００２３】  本考案は、疼痛緩和ばかりでなく、柔軟性向上により運動機能が向上することが実証されているので医療分野ばかりでなくスポーツ分野でも利用できる。
【図面の簡単な説明】
【００２４】
【図１】は、本考案の皮膚貼付用シールを製作する平断面図を示す。
【図２】は、図１のＡ矢視で、本考案の皮膚貼付用シールを製作する平面図を示す。
【図３】は、本考案の皮膚貼付用シールの作用を示すイメージの断面図を示す。
【符号の説明】
【００２５】１    面ヒーター
２    共鳴電磁波放射シート
３    シール
４．  共鳴電磁波
１０  人体
１１  シール
１２  共鳴電磁波
１３  水素結合
１４  水素陽イオン
１５  神経電子
１６  転写共鳴電磁波
【図１】
0003234437.tif 000003
【図２】
0003234437.tif 000004
【図３】
0003234437.tif 000005
【手続補正書】
【提出日】令和3年4月8日(2021.4.8)
【手続補正１】
【補正対象書類名】実用新案登録請求の範囲
【補正対象項目名】全文
【補正方法】変更
【補正の内容】
【実用新案登録請求の範囲】
【請求項１】
３２〜３８テラヘルツの共鳴電磁波を、２〜１２時間、２０℃〜９０℃の温度条件下で、プラスチック製や不織布製や天然または合成ゴム製粘着シールに照射することで、当該シール自体を当該共鳴電磁波の放射体とすることを特徴とする皮膚貼付用シール。
【手続補正書】
【提出日】令和3年7月8日(2021.7.8)
【手続補正１】
【補正対象書類名】実用新案登録請求の範囲
【補正対象項目名】全文
【補正方法】変更
【補正の内容】
【実用新案登録請求の範囲】
【請求項１】
３２〜３８テラヘルツの共鳴電磁波を、２〜１２時間、２０℃〜９０℃の温度条件下で、円形状の粘着シールに照射することで、当該シール自体を当該共鳴電磁波の放射体とすることを特徴とする皮膚貼付用シール。